(57)【要約】【課題】検査データから解析対象箇所を選択する場合、全体の中で重要性の高い欠陥が解析対象にならなかった。また、欠陥に対してマーキングを一定の位置で行うと、欠陥の形状や大きさにより、欠陥自体に影響を与え、後段の解析装置での解析に支障をきたすという問題があった。更に、ノンパターンウェーハの場合には、ＳＥＭで欠陥が見えない場合、マーキングができなかった。【解決手段】重要性の高い欠陥が解析対象を選択するため、レビューＳＥＭの自動分類結果を用いて、解析対象欠陥を選択する。また、欠陥自体に影響を与えないため、欠陥毎に距離を変えてマーキングを行う。このため、ＡＤＲまたはＡＤＣで欠陥の形状，サイズを認識して、影響範囲を考慮した距離を追加した距離にマーキングする。更に、ＳＥＭで観察できない欠陥の場合、光学顕微鏡での観察結果を用いてマーキングする。【選択図】  図３
2012242146.tif 000002
【特許請求の範囲】
【請求項１】
試料上における既知の欠陥位置の走査電子顕微鏡画像を取得して、前記欠陥位置の観察を行う機能を有する欠陥レビュー装置において、
前記欠陥位置に一次電子線を照射し、得られる二次電子あるいは反射電子を検出信号として出力する電子光学カラムと、
前記試料を載置し移動することにより、該試料上における前記一次電子線の照射位置を変更する試料ステージと、
前記検出信号から得られる欠陥画像を用いて、前記試料上の欠陥がマーキングの対象となる欠陥か対象とならない欠陥かに分類する欠陥分類ユニットとを備え、
前記マーキング対象となる欠陥に対し、当該欠陥の周囲に前記一次電子線による電子ビームマーキングを行う欠陥レビュー装置。
【請求項２】
試料上における既知の欠陥位置の走査電子顕微鏡画像を取得して、前記欠陥位置の観察を行う機能を有する欠陥レビュー装置において、
前記欠陥位置に一次電子線を照射し、得られる二次電子あるいは反射電子を検出信号として出力する電子光学カラムと、
前記試料を載置し移動させることにより、前記電子光学カラムの撮像視野を変更する試料ステージと、
前記欠陥の周囲の複数位置に圧痕によるマーキングを付与する圧痕マーキングユニットとを備えることを特徴とする欠陥レビュー装置。
【請求項３】
請求項２に記載の欠陥レビュー装置において、
前記検出信号から得られる欠陥画像を用いて、前記試料上の欠陥がマーキングの対象となる欠陥か対象とならない欠陥かに分類する欠陥分類ユニットを備えることを特徴とする欠陥レビュー装置。
【請求項４】
請求項３に記載の欠陥レビュー装置において、
前記マーキング対象となる欠陥について前記圧痕を付与する位置を求めるマーキング位置演算部とを備えることを特徴とする欠陥レビュー装置。
【請求項５】
請求項３に記載の欠陥レビュー装置において、
前記マーキング位置演算部は、欠陥の大きさに応じて前記圧痕を付与する位置を変えることを特徴とする欠陥レビュー装置。
【請求項６】
請求項３に記載の欠陥レビュー装置において、
前記圧痕を付与する位置が前記圧痕マーキングユニットによるマーキング位置に位置するよう前記試料ステージを制御するステージ制御部を備えることを特徴とする欠陥レビュー装置。
【請求項７】
請求項２に記載の欠陥レビュー装置において、
前記圧痕によるマーキングに加え、電子ビームマーキングを行うことを特徴とする欠陥レビュー装置。
【請求項８】
請求項７に記載の欠陥レビュー装置において、
前記電子ビームマーキングを、前記圧痕を付与する位置よりも前記欠陥に近い位置に行うことを特徴とする欠陥レビュー装置。
【請求項９】
請求項３に記載の欠陥レビュー装置において、
前記欠陥の光学顕微鏡画像を撮像する光学顕微鏡ユニットを備え、
前記欠陥分類ユニットは、前記欠陥を以下のいずれかに分類することを特徴とする欠陥レビュー装置。
１）走査電子顕微鏡画像として観察可能
２）光学顕微鏡画像としては観察可能だが走査電子顕微鏡画像として観察不能
３）走査電子顕微鏡画像としても光学顕微鏡画像としても観察不能
【請求項１０】
請求項９に記載の欠陥レビュー装置において、
前記１）から３）の分類結果に応じて、前記圧痕を付与する位置の中心を変えることを特徴とする欠陥レビュー装置。
【請求項１１】
請求項１０に記載の欠陥レビュー装置において、
センタリング方法はコンター抽出によることを特徴とする欠陥レビュー装置。
【請求項１２】
請求項１または２に記載の欠陥レビュー装置において、
前記電子ビームマーキングまたは前記圧痕によるマーキングの条件を設定する条件設定画面が表示されるモニタを備える管理用コンピュータを備え、
前記条件設定画面上に、マーキング可否の確認ボタンが表示されることを特徴とする欠陥レビュー装置。
【請求項１３】
請求項２に記載の欠陥レビュー装置において、
ベアウェーハに対して、異物以外をマーキング対象として抽出することを特徴とする欠陥レビュー装置。
【発明の詳細な説明】
【技術分野】
【０００１】
本発明は試料に電子線を照射して試料の観察を行う走査電子顕微鏡、及びその試料作成方法に関する。
【背景技術】
【０００２】
半導体デバイスの微細化及び複雑化に伴い、その製造工程における欠陥の発生原因が多様かつ複合的となり、故障解析技術の重要性が増している。また、欠陥数の増加により検査の高速化のみならず、致命欠陥の抽出を目的とした欠陥レビューの需要も増加している。
【０００３】
故障解析は、まず光学式あるいは電子式の外観検査装置を用いて半導体ウェーハ上の欠陥位置を検出することにより開始される。外観検査装置により検出される欠陥は、通常ノイズを多く含み、かつ重要ではない欠陥も含むので、欠陥レビュー装置を用いて外観検査装置により取得された欠陥位置の高分解能画像を撮像し、得られた画像を用いて欠陥分類を行う。このような欠陥分類作業により、故障解析すべき重要な欠陥がどれかを弁別できるようになる。近年では、欠陥レビュー装置は、撮像した欠陥画像を教示データを用いて自動的に分類する機能を備えるようになっており、これをＡＤＣ（Automatic Defect Classification）と称している。
【０００４】
故障解析には、走査電子顕微鏡（ＳＥＭ：Scanning Electron Microscope）や透過電子顕微鏡（ＴＥＭ：Transmission Electron Microscope）による高分解能観察の他、エネルギー分散Ｘ線分光法（ＥＤＳ：Energy Dispersive X-ray Spectrometry）や電子エネルギー損失分光法（ＥＥＬＳ：Electron Energy-Loss Spectroscopy）による元素分析等が用いられる。透過電子顕微鏡による故障解析を行う場合、試料サイズの制約から半導体製造に用いられるシリコンウェーハを割断してチップ、或いは柱状サンプルとする必要があり、この加工にはレーザや集束イオンビーム（ＦＩＢ：Focused Ion Beam）装置が用いられている。
【０００５】
上述のウェーハ割断あるいは集束イオンビームによるサンプル調整の際には、目的とする欠陥を切りだすために何らかの目印が必要となる。ウェーハ割断の際には人間が目視できる程度の大きさの目印が必要であり、集束イオンビームによるサンプル調整の際には、ＦＩＢ装置で表示されるＳＩＭ（Scanning Ion Microscopy）画像上で確認できる程度の大きさの目印が必要となる。
【０００６】
このような目印を付与するための技術の一例として、特開２０００−２４１３１９号公報（特許文献１）には、光による欠陥検出部を備えたＦＩＢ装置が開示されている。当該装置においては、光により検出された欠陥位置の近傍に集束イオンビームによりマーキングを行い、マーキングを基準として試料に集束イオンビームを照射してＴＥＭ用サンプルを作成する。
【先行技術文献】
【特許文献】
【０００７】
【特許文献１】特開２０００−２４１３１９号公報
【発明の概要】
【発明が解決しようとする課題】
【０００８】
外観検査装置で検出される欠陥のうち、故障解析が必要となるような重要欠陥の数はそうは多くない。したがって、外観検査装置あるいは欠陥レビュー装置において検出される欠陥が全てマーキングの付与対象となる欠陥であるとは限らない。特許文献１には、光による欠陥検出部を備えたＦＩＢ装置が開示されているが、検出された欠陥に何らかの分類処理を施してマーキングを行うという着想は見られない。また、外観検査で得られる検査データからランダムサンプリングで欠陥を選択しても、故障解析の対象となるような重要性の高い欠陥を確実に選択することは不可能である。
【０００９】
また、上述の通り、故障解析はＦＩＢやＴＥＭで実行されるが、欠陥位置の特定は外観検査装置や欠陥レビュー装置といった、故障解析用の装置とは別の装置で実行される。したがって、故障解析を行うためには、欠陥位置の特定用装置から故障解析装置へ欠陥の位置情報を転送し、故障解析用の装置側で欠陥位置を特定する処理（視野合わせ）が必要となる。
【００１０】
ところが欠陥によっては、パターンの形成不良により欠陥形状が設計情報と大きく乖離している場合や、異物等の設計情報には存在しない欠陥である場合がある。更には、パターン形成前のベアウェーハ等、パターンが無い試料上に存在する欠陥、あるいはシリコンウェーハの表面膜下に存在する欠陥など、ＦＩＢやＴＥＭといったもともと欠陥検出用途としては設計されていない荷電粒子ビーム装置では欠陥位置が特定困難な場合がある。このような欠陥に対して故障解析を行う場合、視野の自動位置合わせは困難であるため、目視による手動での視野合わせに頼らざるをえない。手動での位置合わせを行う場合、欠陥位置を示す何らかの目印がなければ、故障解析は不可能となる。
【課題を解決するための手段】
【００１１】
本発明では、欠陥レビュー装置の自動欠陥分類機能が、撮像した欠陥が故障解析の対象かそうでないかを分類する機能を備えることにより、上記「マーキングの付与対象となる欠陥を確実に選択する」という課題を解決する。この場合、マーキングの手法は電子ビームなどの荷電粒子ビームによるマーキング方式でも圧痕による機械的なマーキングのいずれであってもよい。
【００１２】
また、欠陥レビュー装置に、圧痕によるマーキングを付与する圧痕マーキングユニットを備えることにより、解析装置側での取得画像では検出しにくい欠陥であっても位置を特定できるようになる。圧痕は、試料に対して物理的な窪みを形成するマーキング付与方式であるため、電子ビームによるマーキング方式に比べて視認性が良好なため、解析作業時に必須になるウェーハ割断時の作業効率向上が期待できる。
【発明の効果】
【００１３】
予め決められた戦略に従い重要な欠陥を後段の解析対象を選択することができるようになるため、早期の欠陥原因究明，歩留まり改善が可能となる。
【００１４】
また、欠陥形状によりマーキングの距離を変えることにより、失敗のない解析を実施できる。更に、ＳＥＭで観察できない欠陥も解析できるようになり、ベアウェーハの品質向上，歩留まり改善が可能となる。
【図面の簡単な説明】
【００１５】
【図１】本実施例の全体構成を示す図。
【図２Ａ】本実施例の試料室内を示す図（レビュー時）。
【図２Ｂ】本実施例の試料室内を示す図（圧痕マーキング実施時）。
【図３】本実施例の一実施例の解析フロー図。
【図４】本実施例のマーキング方法例を示す図。
【図５】ベアウェーハの特徴的な欠陥の暗視野光学顕微鏡での画像例を示す図。
【図６Ａ】圧痕マーキングが不適切な第一の例を示す図。
【図６Ｂ】圧痕マーキングが不適切な第二の例を示す図。
【図６Ｃ】圧痕マーキングが不適切な第一の例の改善案を示す図。
【図６Ｄ】圧痕マーキングが不適切な第二の例の改善案を示す図。
【図７】本実施例の欠陥レビュー装置の画面表示例を示す図。
【発明を実施するための形態】
【００１６】
〔実施例１〕
【００１７】
図１に本実施例の欠陥レビュー装置の全体構成および欠陥レビュー装置が配置される欠陥検出システムの構成を示す。欠陥レビュー装置１０５は、走査電子顕微鏡カラム（電子光学カラム）１０７，試料室１０８，圧痕マーキングユニット１０９，光学顕微鏡１１３，制御部１１０，ＡＤＲ（Automatic Defect Review：自動欠陥再検出）部１１１，ＡＤＣ（自動欠陥分類）部１１２，通信用コンピューター１０６を有し、ネットワークを通じて、ＹＭＳ（Yield Management System：歩留まり管理システム）１０１と接続されている。ＹＭＳ１０１は、明視野光学式外観検査装置１０２，暗視野光学式外観検査装置１０３，電子線式外観検査装置１０４ともネットワークにより接続されている。
【００１８】
これらの検査装置からは検査終了後にＹＭＳ１０１に検査データが送られ、更に欠陥レビュー装置１０５に送られる。欠陥レビュー装置１０５では、この検査データを用いて、ＡＤＲ，ＡＤＣを実施し、結果を通信用コンピューター１０６を通じて、ＹＭＳ１０１に戻す。
【００１９】
次に、欠陥レビュー装置の詳細について説明する。走査電子顕微鏡カラム１０７は、試料室内に格納された被検査対象に対し一次電子線を照射し、得られる二次電子あるいは反射電子を検出して検出信号を出力する機能を有する。試料室１０８の内部には、図示されない試料ステージが格納されており、制御部１１０からの制御信号に従って非検査対象上での一次電子線の照射目標位置あるいは圧痕マーキングユニット１０９による圧痕付与の目標位置を走査電子顕微鏡カラム１０７あるいは圧痕マーキングユニット１０９の下部に移動させる。走査電子顕微鏡カラム１０７により得られた走査電子顕微鏡画像は、欠陥位置を特定するために使用され、マーキング位置の設定に使用される。
【００２０】
光学顕微鏡１１３は、試料室１０８の上部に配置されており、欠陥の光学顕微鏡画像を撮像可能である。光学顕微鏡１１３の視野移動は、走査電子顕微鏡カラム１０７と同様、試料ステージにより実行され、得られた光学顕微鏡画像は、走査電子顕微鏡では見えない欠陥の位置特定、更にはマーキング位置の設定に使用される。
【００２１】
欠陥レビュー装置に付随する走査電子顕微鏡の各構成要素は制御部１１０により制御され、その後段にはＡＤＲ部１１１，ＡＤＣ部１１２，通信用コンピューター１０６が接続されている。ＡＤＲ部１１１は、自動欠陥レビューの制御シーケンスをコントロールし、ＡＤＣ部１１２は、ＡＤＲによって得られた欠陥画像の自動分類処理を実行する。制御部１１０は、走査電子顕微鏡の各構成要素の動作を制御するため、電子光学カラム制御ユニット１１０１，圧痕マーキングユニット制御ユニット１１０２，光学顕微鏡制御ユニット１１０３，マーキング対象欠陥抽出ユニット１１０４およびステージ制御ユニット１１０５などの各制御ユニットを備える。通信用コンピューター１０６は、欠陥レビュー装置の管理コンソールを兼用しており、欠陥レビューの動作条件あるいは検査レシピを設定するためのＧＵＩ（Graphical User’s Interface）が表示されるモニタを備えている。
【００２２】
以上説明した各制御ユニットは、制御部１１０内でソフトウェア実装あるいはハードウェア実装のいずれかの方式で実現される。したがって、制御部１１０は、各制御ユニットの機能を実現するプログラムが格納されるメモリおよびプログラムを実行するためのプロセッサを内部に備える。あるいは、各制御ユニット個々の機能に対応するマイクロコンピュータを複数備えている。
【００２３】
次に、図２Ａおよび図２Ｂを用いて、本実施例の圧痕マーキングユニットの詳細について説明する。図２Ａは欠陥レビュー時の試料室内および圧痕マーキングユニットの動作を示す模式図である。試料室１０８内では、電子線２０１が対物レンズ２０２で絞られ、ウェーハ２０３に照射される。ウェーハ２０３はステージ２０４上に載せられ、ステージ制御ユニット１１０５により任意の位置に移動される。走査電子顕微鏡画像の取得条件によっては、一次電子線を試料２０３の直前で減速させて試料２０３を撮像する場合もあり、その場合には、リターディングユニット２０５によりリターディング電圧が試料２０３に印加される。
【００２４】
レビュー時にはステージ２０４が欠陥位置に次々と移動して、対物レンズ２０２で絞られ電子線２０１を照射して欠陥のＳＥＭ画像取得を行う。このＳＥＭ画像を使用して、欠陥検出部１１１で欠陥の検出を行い、更に欠陥分類部で欠陥の分類を行い、元のＳＥＭ画像の他に欠陥検出結果，欠陥分類結果を、通信用コンピューター１０６を使い、ネットワークを通じて、ＹＭＳ１０１にアップロードする。
【００２５】
図２Ｂに圧痕マーキング実施時の試料室内を示す。圧痕マーキング実施時には、マーキング対象欠陥抽出ユニット１１０４で求められたマーキング対象欠陥の位置を用いてステージ制御ユニット１１０５がステージ２０４を制御し、ウェーハ２０３上のマーキング目標位置を圧痕マーキングユニット１０９の下に移動させる。
【００２６】
移動が完了すると、圧痕マーキングユニット１０９は、真空ベローズ２０６を有し、垂直駆動機構２０７によりシャフト２０８の先端に取り付けられた圧子２０９を降下させ押し当てることにより、試料上に圧痕マーキングを形成する。これらの圧痕マーキングユニットの動作は、圧痕マーキングユニット制御ユニット１１０２により制御される。
【００２７】
次に、図３を用いて本実施例の欠陥レビュー装置の動作について説明する。
【００２８】
まず、ステップ３０１でＹＭＳから検査データを読み込む。ステップ３０２では、検査データに含まれる欠陥からＡＤＲ対象欠陥を抽出するサンプリングを行う。サンプリングの目的は、欠陥数が多い場合に限られた時間で効果的なＡＤＲができるように対象欠陥を絞ることであり、クラスタ欠陥の抽出・除去、クラスタ欠陥以外からのランダム抽出等の手法が用いられる。ステップ３０３でウェーハアライメントを行い、ウェーハの大まかな位置合わせを行う。ステップ３０４でフォーカスマップを取り、フォーカスのウェーハ面内領域毎の分布を補正して、オートフォーカスが短時間で合うようにする。ステップ３０５ではＳＥＭのファインアライメントが実行される。ファインアライメントは、パターン付きウェーハの場合にはホトプロセスのマスクショット単位に特異なパターンを用いて行われ、ノンパターンウェーハの場合には光学顕微鏡、特にレーザ光による暗視野顕微鏡等で欠陥を光らせて欠陥位置を正確に検出することにより行われる。ステップ３０６でＡＤＲにより欠陥の正確な位置を検出して、欠陥を中心にＳＥＭ画像を取得する。ステップ３０７ではＳＥＭ画像を元にＡＤＣで分類結果を決定する。
【００２９】
ステップ３０７のＡＤＣ後、ＡＤＣ部１１２から制御部１１０内のマーキング対象欠陥抽出ユニット１１０４に分類結果が転送され、マーキング対象欠陥抽出ユニット１１０４が分類された欠陥がマーキング対象かどうかを判断しマーキング対象の欠陥を抽出する（ステップ３２１）。マーキング対象となる欠陥が分類結果に含まれていない場合は、通信用コンピューター１０６を介してＡＤＲ／ＡＤＣ結果をＹＭＳ１０１にアップロードして終了する（ステップ３０８）。
【００３０】
ステップ３２１でマーキング対象と判断した場合、マーキング対象欠陥抽出ユニット１１０４は、ＡＤＣ分類結果を以下の３つのカテゴリーに分類するステップを実行する。ここで、欠陥位置にマーキングを行うと、欠陥自体に影響を与え、正確な故障解析ができなくなるため、欠陥位置にマーキングを行うことはできない。したがって、マーキングの際には適当なマーキング中心を決め、欠陥毎にマーキング中心からの距離を変えてマーキングを行う。このため、欠陥の形状，サイズといったＡＤＣの分類結果の情報の他、欠陥毎にマーキングの中心位置を決定する処理が必要となる。
（１）ＳＥＭ観察可能（ステップ３２２）
（２）ＳＥＭ観察不可、かつ光学顕微鏡観察可（ステップ３２３）
（３）ＳＥＭ観察不可、かつ光学顕微鏡観察不可（ステップ３２４）
ＡＤＣ分類結果を以上３種のカテゴリーに分類した後は、各カテゴリー毎にマーキングの中心を決定するステップを実行する。
【００３１】
（１）の場合には、ＳＥＭ画像の視野中心をマーキングの中心位置として決定する（ステップ３２５）。（２）の場合には、光学顕微鏡画像の視野中心をマーキングの中心位置として決定する（ステップ３２６）。マーキング中心を決定するために使用する光学顕微鏡画像としては、ステップ３０５で取得した光学顕微鏡画像を使用する。（３）の場合には、明視野光学式外観検査装置、暗視野光学式外観検査装置あるいは電子線式外観検査装置といった外部の検査装置から受け取った元々の検査データの欠陥座標を用いて、マーキング中心を決定する（ステップ３２７）。
【００３２】
マーキング中心が決定すれば、マーキング対象欠陥抽出ユニット１１０４が決定されたマーキング中心を元にマーキング座標を決定し、圧痕マーキングユニット制御ユニット１１０２に伝送する。圧痕マーキングユニット制御ユニット１１０２は、圧痕マーキングユニット１０９を制御して、ステップ３２８で決定された座標位置に実際にマーキングを行う。
【００３３】
次に、図４を用いて本実施例のマーキング位置の決定方法を説明する。図４は、本実施例のマーキング位置を示す模式図である。マーキング中心は欠陥５０１のほぼ中心に設定されており、マーキング中心からＸＹ方向に距離Ｄ１だけ離れた位置に第１の圧痕マーキング５０２が打たれる。距離Ｄ１は、圧痕マーキングの座標精度や周囲への影響を考慮して決められる。第１の圧痕マーキング５０２は、欠陥を取り囲み正方形の頂点４点に打たれ、故障解析装置の操作者はこの中で欠陥を探せばよいことになる。更に、欠陥の近傍にはＥＢマーキング５０４より断面加工位置を示すマーキングを行う。ＥＢマーキングとは、試料に対して一次電子線２０１を数分程度当ててＥＢコンタミを発生させて形成するマーキングである。ＥＢマーキングは、ＳＥＭの倍率に従ったサイズで形成することが可能であるため位置精度が高く、解析装置に備えられた撮像装置で得られる画像上でも正確な加工位置を示すことができる。
【００３４】
ウェーハを割断する場合には、第１の圧痕マーキングの更に外側に目印があった方が割断作業がしやすい場合がある。そのような場合には、解析装置の試料ホルダーに収まるサイズから座標ずれ等の余裕を見て距離Ｄ２を決定し、マーキング中心からＸＹ方向に距離Ｄ２だけ離れた正方形の頂点４点に第２の圧痕マーキング５０３を打つ。このマークはできるだけ大きめに打つことにより、目視での視認性を良くすることにより、ウェーハ割断，チップ化の作業効率が非常に良くなる。以上のように、目的に応じて複数のマーキングを使い分けることで、ウェーハ割断時、解析装置によるビーム照射位置の探索時といった各種の作業時の作業効率を高めることができる。
【００３５】
マーキング対象の全欠陥に対してマーキングを行った後、マーキングを終了し、試料２０３を欠陥レビュー装置から搬出する。
【００３６】
上記圧痕マーキングあるいはＥＢマーキングは、装置の操作者がマニュアル処理で行うことも装置に自動実行させることも可能である。自動実行させる場合には、上記の距離Ｄ１，Ｄ２およびＥＢマーキング位置のマーキング中心からの距離を、欠陥種あるいは欠陥サイズといった欠陥特徴量に応じてテーブル化しておき、制御部１１０内のメモリに格納しておく。そして、ステージ制御ユニット１１０５がメモリ内のテーブルを読み出し、マーキング目標位置を圧痕マーキングユニットあるいは電子光学カラムの下に移動する。
【００３７】
試料２０３の搬出後、人手により解析対象を決定する。解析対象の選定方法としては、全体の中で出現率の高いメイン欠陥、そのウェーハに特異なレア欠陥、各種欠陥から数個ずつ選択して、全体状況を大まかに見る等の方法がある。
【００３８】
さらにウェーハを割断，チップ化して、解析装置のホルダーに収まるサイズにする（ステップ３２９）。ステップ３３０でそのチップをＦＩＢに入れ、ＦＩＢ内で欠陥位置を探し出し、必要に応じてデポ等により表面の保護等を行った後、観察したい断面をＦＩＢ加工し、更に薄膜化して試料として取り出す。ステップ３３１では、ＴＥＭや高分解能ＳＥＭなどを用いて得られた薄片の断面観察を行う。
【００３９】
従来の方法では、故障解析の対象となる欠陥であっても欠陥探索用の目印が無い状態で試料がＦＩＢに搬入される場合が多く、ＦＩＢで欠陥を探す部分で時間を要していた。特にパターンのないベアウェーハ等では、微小欠陥を探し出すのに大変時間を要していた。本実施例によれば、欠陥レビュー装置で重要欠陥に直接圧痕マーキングを付与できるため、解析装置側での加工位置の探索が、従来よりも非常に効率的になる。
【００４０】
以上、本実施例では、予め決められた戦略に従い重要な欠陥を後段の解析対象を選択することができるようになるため、早期の欠陥原因究明，歩留まり改善が可能となる。更に、ＳＥＭで観察できない欠陥も解析できるようになり、ベアウェーハの品質向上，歩留まり改善が可能となる。
【００４１】
〔実施例２〕
実施例１では、マーキング中心を基準としてマーキングの座標位置を決めた欠陥レビュー装置の構成例について説明したが、本実施例では、別な手法によりマーキングの座標位置を決める機能を備える欠陥レビュー装置の構成について説明する。装置の全体構成は、図１に示す場合と同様であるので、以下では、装置の構成要素および機能のうち同一な部分については説明は省略し、また適宜図１を引用する。
【００４２】
前述の通り、欠陥中心にマーキングを行うと欠陥自体に影響を与えるため、欠陥位置にマーキングを行うことは不可である。ところが、マーキング中心からのマーキング位置を画一的に決めて（例えば、距離Ｄ１，Ｄ２といったように）マーキングを行った場合、欠陥の形状や大きさによっては、欠陥位置にマーキングを行ってしまう事象が発生する場合がある。
【００４３】
これを示すため、図５に、暗視野光学顕微鏡によるベアウェーハの特徴的な欠陥の画像例を示す。（Ａ）は異物、（Ｂ）はＰＩＤ（Polishing Induced Defect）、（Ｃ）はシャロースクラッチ（Shallow Scratch）、（Ｄ）はスリップ、（Ｅ）は積層欠陥（Stacking Fault）である。この場合、（Ａ），（Ｂ）はＳＥＭ観察可能、（Ｃ），（Ｄ）はＳＥＭ観察不可、かつ光学顕微鏡観察可、（Ｅ）はＳＥＭ観察不可、かつ光学顕微鏡観察不可というカテゴリに分類されるケースが多いが、サイズ等の影響で一定ではない。このように、欠陥レビュー装置で検出される欠陥の形状，サイズは欠陥毎に全くまちまちである。
【００４４】
次に、図６Ａおよび図６Ｂを用いて、不適切な圧痕マーキングが行われた欠陥の例について説明する。図６Ａは、圧痕マーキングが不適切である第一の例を示す。欠陥は線状欠陥６０１であり、元々の設定よりもかなり長さのある欠陥である。ＥＢマーキング６０４は特に問題はないが、欠陥中心６０２から距離Ｄ１離れた圧痕マーキング６０３は一部欠陥にかかってしまっている。図６Ｂは、圧痕マーキングが不適切な第二の例を示す。欠陥は巨大欠陥６１１であり、欠陥中心６０２から距離Ｄ１離れた圧痕マーキング６０３は全て欠陥にかかっている。またＥＢマーキング６０４も欠陥にかかってしまい、位置確認に使いにくくなっている。
【００４５】
図６Ｃには、図６Ａに示すマーキング例の改善案を示す。マーキング対象と判断された欠陥が線状欠陥であった場合、制御部内のマーキング対象欠陥抽出ユニット１１０４は、欠陥を内包する最小正方形６２１を求める。この演算処理は、欠陥画像の端点の座標を用いて行うことができる。更にマーキング対象欠陥抽出ユニット１１０４は、求めた最小正方形６２１の頂点の座標に距離Ｄ１を足した位置を第１の圧痕マーキング位置として設定する。ＥＢマーキングの位置は基本設定通りとする。
【００４６】
図６Ｄには、図６Ｂに示すマーキング例の改善案を示す。マーキング対象と判断された欠陥が巨大欠陥であった場合、図６Ｃと同様に、これを内包する最小正方形６３１を求め、最小正方形６２１の頂点の座標に距離Ｄ１を足した位置を第１の圧痕マーキング位置として設定する。更に、ＥＢマーキングの位置も、最小正方形６２１の辺からＥＢマーキング用の設定距離だけ外側にずらした位置に設定する。
【００４７】
以上の機能を装置実装する場合には、上記の距離Ｄ１，Ｄ２，ＥＢマーキング用距離といった距離情報に加えて、欠陥種に応じたマーキング位置算出の演算手順をテーブル化して、制御部１１０内のメモリに格納する。そして、マーキング対象欠陥抽出ユニット１１０４がメモリ内のテーブルを参照し、欠陥に応じたマーキング目標位置を設定する。設定されたマーキング目標位置の情報は、圧痕マーキングユニットおよびステージ制御ユニットにより参照され、所定の目標位置に圧痕マーキングが付与される。
【００４８】
図７に実施例１あるいは実施例２で使用されるＧＵＩの構成例を示す。図７に示すＧＵＩは、通信用コンピューター１０６に備えられるモニタ上に表示される。７０１はＡＤＣ結果表示部、７０２はＡＤＣ分類結果、７０３は個数表示、７０４はＡＤＣ結果画像表示部、７０５はＡＤＣ結果画像、７０６はスライドバー、７０７はマーキング対象画像表示部、７０８はマーキング対象画像、７０９はマーキング対象選択ボタン、７１０はマーキング対象解除ボタン、７１１はマーキング実行ボタンである。
【００４９】
ＡＤＣ結果表示部７０１内に表示されるＡＤＣ分類結果７０２，個数表示７０３を参考にして、ＡＤＣ結果画像表示部７０４内に表示されるＡＤＣ結果画像７０５をスライドバー７０６で動かしながら、マーキング対象を決定する。決定は画像を選んだ状態でマーキング対象選択ボタン７０９を押すことで決定される。あるいは、ＡＤＣ結果画像７０５をマーキング対象画像表示部７０７にドラッグ・アンド・ドロップすることでも同様の結果が得られる。選択されたＡＤＣ画像７０５はマーキング対象画像表示部７０７にマーキング対象画像７０８として追加表示される。一度追加されたマーキング対象画像７０８を選択し、マーキング対象解除ボタン７１０を押すことで対象から外すこともできる。マーキング対象画像７０８の選択が全て終わった後、マーキング実行ボタン７１１を押すことでマーキングが開始される。
【００５０】
以上、本実施例により、欠陥形状によりマーキングの距離を変えることが可能となるため、解析の前処理に置ける失敗が低減される。
【符号の説明】
【００５１】
１０１  ＹＭＳ
１０２  明視野光学式外観検査装置
１０３  暗視野光学式外観検査装置
１０４  電子線式外観検査装置
１０５  欠陥レビュー装置
１０６  通信用コンピューター
１０７  走査電子顕微鏡カラム
１０８  試料室
１０９  圧痕マーキングユニット
１１０  制御部
１１１  ＡＤＲ部
１１２  ＡＤＣ部
１１３  光学顕微鏡（ＯＭ）
２０１  電子線
２０２  対物レンズ
２０３  試料（ウェーハ）
２０４  ステージ
２０５  リターディングユニット
２０６  真空ベローズ
２０７  垂直駆動機構
２０８  シャフト
２０９  圧子
５０１  欠陥
５０２  圧痕マーキング（小）
５０３  圧痕マーキング（大）
５０４，６０４  ＥＢマーキング
６０１  線状欠陥
６０２  欠陥中心位置
６０３  圧痕マーキング
６１１  巨大欠陥
６２１  線状欠陥を内包する最小正方形
６３１  巨大欠陥を内包する最小正方形
７０１  ＡＤＣ結果表示部
７０２  ＡＤＣ分類結果
７０３  個数表示
７０４  ＡＤＣ結果画像表示部
７０５  ＡＤＣ結果画像
７０６  スライドバー
７０７  マーキング対象画像表示部
７０８  マーキング対象画像
７０９  マーキング対象選択ボタン
７１０  マーキング対象解除ボタン
７１１  マーキング実行ボタン
１１０１  電子光学カラム制御ユニット
１１０２  圧痕マーキングユニット制御ユニット
１１０３  光学顕微鏡制御ユニット
１１０４  マーキング対象欠陥抽出ユニット
１１０５  ステージ制御ユニット
【図１】
2012242146.tif 000003
【図２Ａ】
2012242146.tif 000004
【図２Ｂ】
2012242146.tif 000005
【図３】
2012242146.tif 000006
【図４】
2012242146.tif 000007
【図５】
2012242146.tif 000008
【図６Ａ】
2012242146.tif 000009
【図６Ｂ】
2012242146.tif 000010
【図６Ｃ】
2012242146.tif 000011
【図６Ｄ】
2012242146.tif 000012
【図７】
2012242146.tif 000013